(57)【要約】【課題】  傾斜地での作業性を良好にしつつ、方向転換を容易に行うことができる歩行型農作業機の抵抗棒を提供する。【解決手段】  耕耘爪４を有する耕耘軸３の回転駆動により耕耘作業を行うことができる歩行型農作業機１の後部に取り付け可能な抵抗棒１０であって、屈曲状に形成され上部に歩行型農作業機１への取付部１２を有する抵抗棒本体１１と、抵抗棒本体１１の下部に回動可能に取り付けられた受圧部材２０とを備え、受圧部材２０は、先細のガイド部２１を有しており、抵抗棒本体１１の屈曲した軸線を含む仮想平面を挟んだ両側にガイド部２１の先端部が揺動可能となるように支持されている。【選択図】  図１
2017042104.tif 000002
【特許請求の範囲】
【請求項１】
耕耘爪を有する耕耘軸の回転駆動により耕耘作業を行うことができる歩行型農作業機の後部に取り付け可能な抵抗棒であって、
上部に歩行型農作業機への取付部を有する抵抗棒本体と、
前記抵抗棒本体の下部に回動可能に取り付けられた受圧部材とを備え、
前記受圧部材は、先細のガイド部を有しており、前記抵抗棒本体の軸線を含む仮想平面を挟んだ両側に前記ガイド部の先端部が揺動可能となるように支持されている歩行型農作業機の抵抗棒。
【請求項２】
前記ガイド部は、平板状に形成されており、前記仮想平面と直交するように配置されている請求項１に記載の歩行型農作業機の抵抗棒。
【請求項３】
耕耘爪を有する耕耘軸の回転駆動により耕耘作業を行うことができる歩行型農作業機の後部に取り付けられた抵抗棒に装着される抵抗棒用アタッチメントであって、
前記抵抗棒の下部に着脱可能に取り付けられる支持部材と、
前記支持部材に回動可能に取り付けられた受圧部材とを備え、
前記受圧部材は、先細のガイド部を有しており、前記抵抗棒の軸線を含む仮想平面を挟んだ両側に前記ガイド部の先端部が揺動可能となるように支持される歩行型農作業機の抵抗棒用アタッチメント。
【発明の詳細な説明】
【技術分野】
【０００１】
本発明は、歩行型農作業機の抵抗棒および抵抗棒用アタッチメントに関する。
【背景技術】
【０００２】
耕耘機や管理機などの歩行型農作業機は、耕耘爪を有する耕耘軸をエンジンで回転駆動することにより、作業者がハンドル部を操作して耕耘作業を行うことができる。歩行型農作業機の後部には、一般に抵抗棒が設けられており、抵抗棒の下部を土壌に挿入することにより、土壌からの抵抗を受けて走行速度を調整することができる。
【０００３】
歩行型農作業機に使用される抵抗棒として、例えば特許文献１には、下部にソリ板を備える構成が開示されている。ソリ板は上下に揺動可能に設けられ、ストッパによってソリ板の回動範囲が規制されることにより、抵抗棒に押込力が作用した場合等における残耕処理の安定化が図られている。
【先行技術文献】
【特許文献】
【０００４】
【特許文献１】特開２００３−１８９０３号公報
【発明の概要】
【発明が解決しようとする課題】
【０００５】
上記の歩行型農作業機のように、抵抗棒の下部にソリ板が設けられている場合には、ソリ板が土壌内に沈み込むことにより大きなブレーキ効果が発生するため、特に山間部等の傾斜地において、耕耘作業を容易に行うことができる。
【０００６】
ところが、歩行型農作業機を方向転換させる際には、ソリ板が土壌から大きな抵抗を受け易く、スムーズな旋回が困難になるという問題があった。
【０００７】
そこで、本発明は、傾斜地での作業性を良好にしつつ、方向転換を容易に行うことができる歩行型農作業機の抵抗棒および抵抗棒用アタッチメントを提供することを目的とする。
【課題を解決するための手段】
【０００８】
本発明の前記目的は、耕耘爪を有する耕耘軸の回転駆動により耕耘作業を行うことができる歩行型農作業機の後部に取り付け可能な抵抗棒であって、上部に歩行型農作業機への取付部を有する抵抗棒本体と、前記抵抗棒本体の下部に回動可能に取り付けられた受圧部材とを備え、前記受圧部材は、先細のガイド部を有しており、前記抵抗棒本体の軸線を含む仮想平面を挟んだ両側に前記ガイド部の先端部が揺動可能となるように支持されている歩行型農作業機の抵抗棒により達成される。
【０００９】
この歩行型農作業機の抵抗棒において、前記ガイド部は、平板状に形成されていることが好ましく、前記仮想平面と直交するように配置されていることが好ましい。
【００１０】
また、本発明の前記目的は、耕耘爪を有する耕耘軸の回転駆動により耕耘作業を行うことができる歩行型農作業機の後部に取り付けられた抵抗棒に装着される抵抗棒用アタッチメントであって、前記抵抗棒の下部に着脱可能に取り付けられる支持部材と、前記支持部材に回動可能に取り付けられた受圧部材とを備え、前記受圧部材は、先細のガイド部を有しており、前記抵抗棒の軸線を含む仮想平面を挟んだ両側に前記ガイド部の先端部が揺動可能となるように支持される歩行型農作業機の抵抗棒用アタッチメントにより達成される。
【発明の効果】
【００１１】
本発明によれば、傾斜地での作業性を良好にしつつ、方向転換を容易に行うことができる歩行型農作業機の抵抗棒および抵抗棒用アタッチメントを提供することができる。
【図面の簡単な説明】
【００１２】
【図１】本発明の一実施形態に係る抵抗棒を備えた歩行型農作業機の概略側面図である。
【図２】図１に示す抵抗棒の要部拡大図である。
【図３】図１に示す抵抗棒を備えた歩行型農作業機の作用を説明するための模式図である。
【図４】本発明の一実施形態に係る抵抗棒用アタッチメントの概略側面図である。
【図５】本発明の他の実施形態に係る抵抗棒用アタッチメントの概略側面図である。
【発明を実施するための形態】
【００１３】
以下、本発明の実施の形態について、添付図面を参照して説明する。図１は、本発明の一実施形態に係る抵抗棒を備えた歩行型農作業機の概略側面図である。図１に示すように、歩行型農作業機１は、本体２に内蔵されたエンジン等の駆動装置（図示せず）により駆動される耕耘軸３を備えており、耕耘軸３に複数の耕耘爪４が設けられている。本体２には後方に延出するハンドル５が取り付けられている。本体２の後部（耕耘軸３よりも後方）には、鉛直方向に延びる筒状の挿入部６が設けられている。挿入部６には、抵抗棒１０の上部が着脱可能に装着される。図１に示す歩行型農作業機１は、従来の耕耘機や管理機の構成と同様であり、本実施形態の抵抗棒１０は、従来の耕耘機や管理機が備える抵抗棒に置き換えて使用することができる。
【００１４】
抵抗棒１０は、屈曲状に形成された抵抗棒本体１１と、抵抗棒本体１１の下部に取り付けられた受圧部材２０とを備えている。抵抗棒本体１１は、軸線に沿って複数形成された貫通孔からなる取付部１２を有しており、取付部１２のいずれかの貫通孔に固定ピン７を挿入することにより、抵抗棒１０の上部を本体２に固定して、受圧部材２０を所望の高さに配置することができる。
【００１５】
図２は、抵抗棒１０の要部拡大図であり、図１に示す受圧部材２０を矢示Ａ方向にみた図である。図１および図２に示すように、受圧部材２０は、先細の平板状に形成されたガイド部２１と、ガイド部２１から上方に湾曲する取付部材２２とを備えている。取付部材２２の上部は、抵抗棒本体１１の下部に、回動軸１３により図２の矢示方向に回動自在に支持されている。
【００１６】
図２に示すように、回動軸１３は、抵抗棒本体１１の屈曲した軸線を含む鉛直平面である仮想平面Ｐに沿って、抵抗棒本体１１の下部を径方向に貫通するように配置されている。この回動軸１３により、ガイド部２１は、仮想平面Ｐと直交するように配置され、先細の先端部２１ａが仮想平面Ｐを挟んだ両側に揺動可能となるように、抵抗棒本体１１に支持されている。抵抗棒本体１１は、本実施形態では屈曲状に形成しているが、直棒状であってもよい。
【００１７】
上記の抵抗棒１０を備える歩行型農作業機１は、図１に示すように、耕耘爪４を備える耕耘軸３の回転による耕耘作業中に、受圧部材２０を土壌５０内に沈み込ませることにより、走行中に受圧部材２０が土壌５０から受ける抵抗によって大きなブレーキ効果が発生する。これにより、特に山間部などの傾斜地において斜め下方（山手から川手）に向けて耕耘する際に、制動のために過度な力を要することなく、作業を容易且つ安全に行うことができる。
【００１８】
受圧部材２０は、図１に示すように、抵抗棒本体１１の上部が鉛直方向に延びる状態で、ガイド部２１の先端部２１ａが水平方向よりも若干下方を向くように、取付部材２２の湾曲形状が設定されることが好ましい。このような構成により、歩行型農作業機１に対して、ガイド部２１の表面を利用した良好なブレーキ効果が生じると共に、歩行型農作業機１が後方に傾いた場合には、ガイド部２１の先端部２１ａが水平方向よりも上方を向くことで受圧部材２０の過度な沈み込みを抑制することができ、安定した耕耘作業を行うことができる。
【００１９】
また、土壌が硬い耕起残し部を抵抗棒１０の下部が通過する際に、先細のガイド部２１を備えることによって、耕起残し部を解すことができると共に、直進性を高めて歩行型農作業機１の操作性を向上させることができる。
【００２０】
図３（ａ）に示すように、耕耘作業中に歩行型農作業機を進行方向左側（矢示Ｄ１方向）に方向転換させる場合には、受圧部材２０が土壌から受ける力によって、ガイド部２１は、先端部２１ａが進行方向右側（矢示Ｄ２方向）を向くように回動する。これにより、歩行型農作業機の前部に対して後部が進行方向右側に移動し易くなるため、進行方向左側への方向転換を促すことができる。一方、図３（ｂ）に示すように、歩行型農作業機を進行方向右側（矢示Ｄ３方向）に方向転換させる場合には、ガイド部２１の先端部２１ａが土壌から受ける力で進行方向左側（矢示Ｄ４方向）を向くように回動するため、上記と同様に、所望の方向転換を容易に行うことができる。
【００２１】
ガイド部２１は、土壌から受ける力によって良好なブレーキ効果と回動効果が得られるように、平板状であることが好ましいが、その形状は平板状に限定されるものではなく、先細の他の形状であってもよい。
【００２２】
以上、本発明の一実施形態について詳述したが、本発明の具体的な態様は上記実施形態に限定されない。例えば、本実施形態の抵抗棒１０は、受圧部材２０が、回動軸１３により抵抗棒本体１１に連結されているが、歩行型農作業機が備える従来の抵抗棒を利用することも可能であり、この場合には、図４に示す抵抗棒用アタッチメント３０を使用することができる。
【００２３】
図４に示す抵抗棒用アタッチメント３０は、従来の抵抗棒１１０の下部に取り付けられる支持部材４０と、支持部材に回動可能に取り付けられた受圧部材２０とを備えている。支持部材４０は、平板状の保持プレート４１と、Ｕ字状の両端部が保持プレート４１の貫通孔に挿通されてナット４２により締結される取付金具４３とを有しており、抵抗棒１１０を、保持プレート４１と取付金具４３との間に緩衝材４４を介して挟持することにより、支持部材４０を抵抗棒１１０に着脱可能に取り付けることができる。支持部材４０は、上記の構成以外であってもよく、例えば、抵抗棒１１０に形成された貫通孔を利用して受圧部材２０を回動自在に取り付けることができるボルトおよびナット等の締結具であってもよい。
【００２４】
受圧部材２０は、図１および図２に示す受圧部材２０の構成と同様であり、支持部材４０を抵抗棒１１０に取り付けた状態で、受圧部材２０のガイド部２１の先端部２１ａは、抵抗棒１１０の軸線を含む鉛直平面である仮想平面を挟んだ両側に揺動可能となる。保持プレート４１とガイド部２１とのなす角度は、特に限定されるものではないが、例えば５０°である。
【００２５】
図４に示す従来の抵抗棒１１０は屈曲状に形成されているが、抵抗棒１１０が直棒状に形成されている場合には、図５に示すように、保持プレート４１が所望の角度（例えば約４５°）に屈曲した支持部材４０を使用することが可能であり、この場合も、図１に示す抵抗棒１０を備える歩行型農作業機１と同様の効果を得ることができる。
【００２６】
上記の抵抗棒用アタッチメント３０によれば、従来の歩行型農作業機が備える既存の抵抗棒を利用することができるので、作業性および操作性の向上を低コストで容易に実現することができる。
【符号の説明】
【００２７】
１  歩行型農作業機
３  耕耘軸
４  耕耘爪
１０  抵抗棒
１１  抵抗棒本体
１２  取付部
２０  受圧部材
２１  ガイド部
３０  抵抗棒用アタッチメント
４０  支持部材
【図１】
2017042104.tif 000003
【図２】
2017042104.tif 000004
【図３】
2017042104.tif 000005
【図４】
2017042104.tif 000006
【図５】
2017042104.tif 000007